(57)【要約】【課題】表示画像の画質をユーザが容易に所望の画質に調整することのできる「表示システム」を提供する。【解決手段】制御部５６は、画質調整指示を受け付けたならば、現在、表示装置１に表示中の画像の、ユーザがタッチパネル２にタッチした位置３１１を中心とする所定のサイズの領域３１２を、参照領域として受け付ける。次に、参照領域の画像に、複数の異なる調整値による画質調整を施した複数の画質調整画像４０１を生成し、複数の画質調整画像４０１を配置した画質調整画像一覧画面を表示装置１に表示する。そして、タッチパネル２を介して画質調整画像４０１の選択を受け付け、受け付けた画質調整画像４０１に対応する調整値を、画質調整部５１２に設定する。【選択図】図１
2006314014.tif 000002
【特許請求の範囲】
【請求項１】
画像出力装置が出力した画像を表示する表示装置を備えた表示システムであって、
前記表示装置が表示する画像の画質調整を行う画質調整部と、
ユーザの操作を受け付ける入力装置と、
前記画質調整手段における前記画質調整の調整値を、ユーザ操作に応じて変更する画質調整値制御部とを有し、
前記画質調整値制御部は、
前記入力装置を介してユーザから選択された、前記表示装置に表示している前記画像出力装置が出力した画像中の任意の位置の領域を、選択領域として受け付ける領域選択受付手段と、
前記画像出力装置が出力した画像中の前記領域選択受付手段が受け付けた選択領域の画像部分を参照画像として抽出し、複数の画質調整の調整値の各々に対応して、当該調整値による画質調整を前記参照画像に施した調整値評価用画像を生成し、生成した複数の調整値評価用画像を配置した調整値評価用画像選択画面を前記表示装置に表示する選択画面表示手段と、
前記選択画面表示手段が表示した調整値評価用画像選択画面上で、前記入力装置を介して、ユーザから、調整値評価用画像の選択を受け付け、選択を受け付けた調整値評価用画像に対応する調整値に、前記画質調整手段における前記画質調整の調整値を設定する調整値設定手段とを有することを特徴とする表示システム。
【請求項２】
請求項１記載の表示システムであって、
前記画質調整値制御部の前記領域選択受付手段は、選択領域として受け付ける前記領域のサイズを、ユーザの前記入力装置の操作に応じて変更することを特徴とする表示システム。
【請求項３】
請求項１または２記載の表示システムであって、
前記画質調整値制御部の前記領域選択受付手段は、前記入力装置を介したユーザの、前記表示装置の前記画像出力装置が出力した画像を表示している表示画面上の位置の指定に応じて、前記選択領域とする領域の位置を受け付けることを特徴とする表示システム。
【請求項４】
請求項１、２または３記載の表示システムであって、
前記画質調整値制御部の選択画面表示手段は、表示した調整値評価用画像選択画面上で、前記入力装置を介して、ユーザから、調整値評価用画像の指定を受け付け、指定を受け付けた調整値評価用画像を拡大表示することを特徴とする表示システム。
【請求項５】
画像出力装置が出力した画像を表示する表示装置を備えた表示システムであって、
前記表示装置が表示する画像の画質調整を行う画質調整部と、
ユーザの操作を受け付ける入力装置と、
前記画質調整手段における前記画質調整の調整値を、ユーザ操作に応じて変更する画質調整値制御部とを有し、
前記画質調整値制御部は、
前記表示装置が表示している前記画像出力装置が出力した画像もしくは当該画像の一部を対象画像とし、複数の画質調整の調整値の各々に対応して、当該調整値による画質調整を前記対象画像に施した調整値評価用画像を生成し、生成した複数の調整値評価用画像を、対応する調整値に従った順序で配置した調整値評価用画像選択画面を前記表示装置に表示する選択画面表示手段と、
前記選択画面表示手段が表示した調整値評価用画像選択画面上で、前記入力装置を介して、ユーザから、調整値評価用画像の選択を受け付け、選択を受け付けた調整値評価用画像に対応する調整値に、前記画質調整手段における前記画質調整の調整値を設定する調整値設定手段とを有し、
前記選択画面表示手段は、表示した調整値評価用画像選択画面上で、前記入力装置を介して、ユーザから、二つの調整値評価用画像の指定を受け付けた場合に、指定された二つの調整値評価用画像に対応する調整値の間の調整値の範囲内に所定数の調整値を詳細調整値として設定し、設定した各詳細調整値の各々に対応する調整値評価用画像を配置した前記調整値評価用画像選択画面に、前記調整値評価用画像選択画面を更新し、
前記各詳細調整値の各々に対応する調整値評価用画像は、当該詳細調整値による画質調整を前記対象画像に施したものであることを特徴とする表示システム。
【請求項６】
画像出力装置が出力した画像を表示する表示装置を備えた表示システムであって、
前記表示装置が表示する画像の画質調整を行う画質調整部と、
ユーザの操作を受け付ける入力装置と、
前記画質調整手段における前記画質調整の調整値を、ユーザ操作に応じて変更する画質調整値制御部とを有し、
前記画質調整値制御部は、
前記表示装置が表示している前記画像出力装置が出力した画像もしくは当該画像の一部を対象画像とし、複数の画質調整の調整値の各々に対応して、当該調整値による画質調整を前記対象画像に施した調整値評価用画像を生成し、生成した複数の調整値評価用画像を、対応する調整値に従った順序で配置した調整値評価用画像選択画面を前記表示装置に表示する選択画面表示手段と、
前記選択画面表示手段が表示した調整値評価用画像選択画面上で、前記入力装置を介して、ユーザから、調整値評価用画像の選択を受け付け、選択を受け付けた調整値評価用画像に対応する調整値に、前記画質調整手段における前記画質調整の調整値を設定する調整値設定手段とを有し、
前記選択画面表示手段は、前記調整値評価用画像選択画面に配置した各調整値評価用画像の間に所定の図形を配置した形態で、前記調整値評価用画像選択画面を表示し、前記入力装置を介して前記ユーザから前記図形の選択を受け付けた場合に、選択された図形の両側の調整値評価用画像に対応する調整値の間の調整値による画質調整を前記対象画像に施した調整値評価用画像を、前記調整値評価用画像選択画面に表示することを特徴とする表示システム。
【発明の詳細な説明】
【技術分野】
【０００１】
本発明は、表示装置を備えた表示システムにおいて、表示装置に表示する画像に施す画質調整の調整値を設定する技術に関するものである。
【背景技術】
【０００２】
表示装置を備えた表示システムにおいて、表示装置に表示する画像に施す画質調整の調整値を設定する技術としては、ユーザから画質調整の指示を受け付けたときに、表示装置に表示中の画像を縮小した画像、または、表示中の画像の一部を抽出した画像に、異なる調整値による画質調整を施して複数の調整値評価用画像を生成し、生成した複数の調整値評価用画像を表示装置に表示すると共に、表示した調整値評価用画像の選択を受け付け、選択を受け付けた調整値評価用画像に対応する調整値を、表示装置に表示する画像に以降施す画質調整の調整値として設定する技術が知られている（たとえば、特許文献１）。
【特許文献１】特開2001-119644号公報
【発明の開示】
【発明が解決しようとする課題】
【０００３】
前述した、前記表示装置に表示中の画像を縮小した画像、または、表示中の画像の予め固定的に定めた範囲を抽出した画像に、異なる調整値による画質調整を施した複数の調整値評価用画像を表示して、調整値評価用画像の選択に応じて画質調整の調整値の設定を行う技術によれば、ユーザが所望の画質となるように調整値を選定することが困難であるという問題がある。
【０００４】
すなわち、この技術によれば、ユーザが多くの調整値の中から所望の調整値を選定できるようにするためには、多数の調整値評価用画像を表示する必要がある。そして、多数の参照画像を表示するためには、調整値評価用画像自体を小さくする必要があるので、表示中の画像を縮小した画像から調整値評価用画像像を生成する場合には、縮小の度合いが大きくなり、調整値評価用画像に写り込んでいる内容が小さくなりすぎるために、各調整値評価用画像の画質をユーザが適切に判断することができなくなる。また、表示中の画像の予め固定的に定めた範囲を抽出した画像から調整値評価用画像を生成する場合には、抽出する画像の範囲も小さくなるために、抽出した画像に、画質の判定に適した内容が含まれなくなってしまう可能性が高くなる。
【０００５】
そこで、本発明は、表示装置に表示する画像の画質を、ユーザが、容易に所望の画質となるように調整できるようにすることを課題とする。
【課題を解決するための手段】
【０００６】
前記課題達成のために、本発明は、画像出力装置が出力した画像を表示する表示装置を備えた表示システムに、前記表示装置が表示する画像の画質調整を行う画質調整部と、ユーザの操作を受け付ける入力装置と、前記画質調整手段における前記画質調整の調整値を、ユーザ操作に応じて変更する画質調整値制御部とを備えると共に、前記画質調整値制御部を、前記入力装置を介してユーザから選択された、前記表示装置に表示している前記画像出力装置が出力した画像中の任意の位置の領域を、選択領域として受け付ける領域選択受付手段と、前記画像出力装置が出力した画像中の前記領域選択受付手段が受け付けた選択領域の画像部分を参照画像として抽出し、複数の画質調整の調整値の各々に対応して、当該調整値による画質調整を前記参照画像に施した調整値評価用画像を生成し、生成した複数の調整値評価用画像を配置した調整値評価用画像選択画面を前記表示装置に表示する選択画面表示手段と、前記選択画面表示手段が表示した調整値評価用画像選択画面上で、前記入力装置を介して、ユーザから、調整値評価用画像の選択を受け付け、選択を受け付けた調整値評価用画像に対応する調整値に、前記画質調整手段における前記画質調整の調整値を設定する調整値設定手段とを含めて構成したものである。
【０００７】
このような表示システムによれば、ユーザは、表示装置に表示されている画像の内の任意の位置の領域を、画質調整の調整値の評価のために表示される調整値評価用画像を表示する画像の領域として選定することができる。すなわち、ユーザは、表示装置に表示されている画像の内の、画質調整の調整値の評価を行うのに適した画像部分の領域を任意に選定することができる。そして、これにより、画質調整の各調整値の評価を、調整値評価用画像選択画面に調整値評価用画像として表示される、画質調整の調整値の評価を行うのに適した画像部分に対する各調整値による画質調整の結果より評価することができる。したがって、画質調整の調整値を、より容易に所望の画質となるように選定することができるようになる。
【０００８】
ここで、このような表示システムは、前記画質調整値制御部の前記領域選択受付手段において、選択領域として受け付ける前記領域のサイズを、ユーザの前記入力装置の操作に応じて変更するようにすることも好ましい。このようにすることにより、ユーザが、画質調整の調整値の評価を行うのに適した領域として、所望の大きさの領域を選定することができるようになる。
【０００９】
また、このような表示システムは、前記画質調整値制御部の前記領域選択受付手段において、前記入力装置を介したユーザの、前記表示装置の前記画像出力装置が出力した画像を表示している表示画面上の位置の指定に応じて、前記選択領域とする領域の位置を受け付けることが、操作性向上の観点より好ましい。
【００１０】
また、このような表示システムは、前記画質調整値制御部の選択画面表示手段において、表示した調整値評価用画像選択画面上で、前記入力装置を介して、ユーザから、調整値評価用画像の指定を受け付け、指定を受け付けた調整値評価用画像を拡大表示することも、ユーザの調整値評価用画像の評価を容易化したり、ユーザの適正な調整値評価用画像の評価を行えるようにする上で好ましい。
【００１１】
また、前記課題達成のために、本発明は、画像出力装置が出力した画像を表示する表示装置を備えた表示システムに、前記表示装置が表示する画像の画質調整を行う画質調整部と、ユーザの操作を受け付ける入力装置と、前記画質調整手段における前記画質調整の調整値を、ユーザ操作に応じて変更する画質調整値制御部とを備えると共に、前記画質調整値制御部を、前記表示装置が表示している前記画像出力装置が出力した画像もしくは当該画像の一部を対象画像とし、複数の画質調整の調整値の各々に対応して、当該調整値による画質調整を前記対象画像に施した調整値評価用画像を生成し、生成した複数の調整値評価用画像を、対応する調整値に従った順序で配置した調整値評価用画像選択画面を前記表示装置に表示する選択画面表示手段と、前記選択画面表示手段が表示した調整値評価用画像選択画面上で、前記入力装置を介して、ユーザから、調整値評価用画像の選択を受け付け、選択を受け付けた調整値評価用画像に対応する調整値に、前記画質調整手段における前記画質調整の調整値を設定する調整値設定手段とを含めて構成したものである。ここで、前記選択画面表示手段は、表示した調整値評価用画像選択画面上で、前記入力装置を介して、ユーザから、二つの調整値評価用画像の指定を受け付けた場合に、指定された二つの調整値評価用画像に対応する調整値の間の調整値の範囲内に所定数の調整値を詳細調整値として設定し、設定した各詳細調整値の各々に対応する調整値評価用画像を配置した前記調整値評価用画像選択画面に、前記調整値評価用画像選択画面を更新するものであり、前記各詳細調整値の各々に対応する調整値評価用画像は、当該詳細調整値による画質調整を前記対象画像に施したものである。
【００１２】
このような表示システムによれば、ユーザは、調整値評価用画像選択画面に表示される調整値評価用画像を用いて、所望の画質が得られる画質調整の調整値の範囲を所望の調整値まで順次絞り込んでいくことができるようになる。また、このようにすることにより、ユーザが選択できる調整値の数を少なくすることなく、一度に調整値評価用画像選択画面に表示する調整値評価用画像の数を少なくすることができるので、調整値評価用画像選択画面に表示する調整値評価用画像のサイズとして画質評価に適したサイズを確保することができるようになる。
【００１３】
また、前記課題達成のために、本発明は、画像出力装置が出力した画像を表示する表示装置を備えた表示システムに、前記表示装置が表示する画像の画質調整を行う画質調整部と、ユーザの操作を受け付ける入力装置と、前記画質調整手段における前記画質調整の調整値を、ユーザ操作に応じて変更する画質調整値制御部とを備えると共に、前記画質調整値制御部を、前記表示装置が表示している前記画像出力装置が出力した画像もしくは当該画像の一部を対象画像とし、複数の画質調整の調整値の各々に対応して、当該調整値による画質調整を前記対象画像に施した調整値評価用画像を生成し、生成した複数の調整値評価用画像を、対応する調整値に従った順序で配置した調整値評価用画像選択画面を前記表示装置に表示する選択画面表示手段と、前記選択画面表示手段が表示した調整値評価用画像選択画面上で、前記入力装置を介して、ユーザから、調整値評価用画像の選択を受け付け、選択を受け付けた調整値評価用画像に対応する調整値に、前記画質調整手段における前記画質調整の調整値を設定する調整値設定手段とを含めて構成したものである。ここで、前記選択画面表示手段は、前記調整値評価用画像選択画面に配置した各調整値評価用画像の間に所定の図形を配置した形態で、前記調整値評価用画像選択画面を表示し、前記入力装置を介して前記ユーザから前記図形の選択を受け付けた場合に、選択された図形の両側の調整値評価用画像に対応する調整値の間の調整値による画質調整を前記対象画像に施した調整値評価用画像を、前記調整値評価用画像選択画面に表示するものである。
【００１４】
このような表示システムによれば、ユーザが選択できる調整値の数を少なくすることなく、一度に調整値評価用画像選択画面に表示する調整値評価用画像の数を少なくすることができるので、調整値評価用画像選択画面に表示する調整値評価用画像のサイズとして画質評価に適したサイズを確保することができるようになる。
【発明の効果】
【００１５】
以上のように、本発明によれば、表示装置に表示する画像の画質を、ユーザが、容易に所望の画質となるように調整することできるようになる。
【発明を実施するための最良の形態】
【００１６】
以下、本発明の実施形態について説明する。
図１に、本実施形態に係る画像表示システムの構成を示す。
図示するように、画像表示システムは、画像を表示する表示装置１、表示装置１の表示画面上に配置されたタッチパネル２、複数の操作キーなどを備えた入力装置３、画像を出力するTVやDVD-Videoプレイヤなどの映像ソース装置４、映像ソース装置４の出力する画像の表示装置１への表示を行う表示処理装置５とを有している。
【００１７】
そして、表示処理装置５は、表示装置１の表示を制御する表示コントローラ５１、フレームメモリ５２、映像入力インタフェース５３、タッチパネル２からの入力を受け付けるタッチパネルインタフェース５４、入力装置３からの入力を受け付ける入力装置インタフェース５５、制御部５６、メモリ５７を有している。また、表示コントローラ５１は、フレームメモリ制御部５１１、画質調整部５１２、画像出力部５１３とを備えている。
【００１８】
さて、表示処理装置５において、映像入力インタフェース５３は、映像ソース装置４から入力した画像を表示コントローラ５１のフレームメモリ制御部５１１を介してフレームメモリ５２に書き込む。フレームメモリ制御部５１１は、フレームメモリ５２に書き込まれた画像を読み出し、画質調整部５１２に出力する。画質調整部５１２は、入力した画像の画質を調整し、画像出力部５１３を介して、表示装置１に出力する。そして、表示装置１は、画像出力部５１３から入力した画像を表示する。なお、制御部５６も、フレームメモリ制御部５１１を介して、フレームメモリ５２に画像を書き込むことにより、任意の画像を、表示コントローラ５１を介して、表示装置１に表示することができる。
【００１９】
さて、制御部５６は、入力装置インタフェース５５を介して、ユーザが入力装置３に対して行った所定の画質調整開始操作を受け取ると画質調整処理を行う。
以下、この制御部５６が行う画質調整処理について説明する。
図２に、画質調整処理の手順を示す。
図示するように、この処理では、まず、映像入力インタフェース５３の、映像ソース装置４から入力する画像のフレームメモリ５２への書き込みを停止すると共に、フレームメモリ制御部５１１を介して、フレームメモリ５２から現在表示中の画像を読み出し、メモリ５７にベース画像として書き込む（ステップ２００）。すなわち、図３ａに示す画像が表示されていたときに、ユーザの画質調整開始操作が発生した場合には、フレームメモリ５２に格納されているこの画像をメモリ５７にベース画像として格納する。
【００２０】
そして、画質調整メニューを生成し、表示コントローラ５１を介して表示装置１に表示する（ステップ２０２）。ここで、画質調整メニューは、たとえば、図３ｂに示すように、メモリ５７に格納したベース画像３００上に、画質調整を行う項目の選択を受け付けるための項目選択ボタン３０１と終了ボタン３０２を表示したものとする。図示した例では、画像の輝度、画像のコントラスト、画像の色調、画像の彩度、画像のシャープネス、画像に適用するノイズフィルタの特性の６項目を、ユーザからの選択を受け付ける画質調整の項目としており、これらの項目に各々対応して、「明／暗」、「コントラスト」、「色調」、「色の濃さ」、「シャープネス」、「ノイズフィルタ」の６つの項目選択ボタン３０１を設けている。
【００２１】
図２に戻り、画質調整メニューを表示したならば（ステップ２０２）、終了ボタン３０２による終了操作の発生（ステップ２０４）か、いずれかの項目選択ボタン３０１による画質調整を行う項目の選択の発生（ステップ２０６）を待つ。ここで、これらの操作は、たとえば、タッチパネル２の各ボタンに対応する位置に対するユーザのタッチによって受け付ける。そして、終了操作が発生した場合には、映像入力インタフェース５３に、映像ソース装置４から入力する画像のフレームメモリ５２への書き込みを再開させ（ステップ３４２）、処理を終了する。
【００２２】
一方、図２ｂに示すように、画質調整を行う項目の選択が発生した場合には（ステップ２０６）、参照領域の選択を受け付ける（ステップ２０８）。なお、図２ｂ中の、Ｘで示した位置３０３は、ユーザのタッチパネル２のタッチした位置を表す。また、以下では、「明／暗」ボタンのタッチにより、画像の輝度が画質調整を行う項目として選定された場合を例にとり説明する。
【００２３】
ここで、参照領域とは、ベース画像３００の一部の領域であり、制御部５６は、図３ｃに示すように、ベース画像３００を表示コントローラ５１を介して表示装置１に表示すると共に、ユーザがタッチパネル２にタッチした位置を中心とする所定のサイズの領域を、参照領域とする。すなわち、ユーザによって位置３１１が指定された場合には、領域３１２を参照領域として受け付け、ユーザによって位置３１３が指定された場合には、領域３１４を参照領域として受け付ける。ただし、参照領域として受け付ける領域のサイズは、ユーザ操作に応じて変化させるようにしてもよい。すなわち、たとえば、図３ｄに示すように、ユーザによって位置３１１が２度連続的に（所定時間以下の時間間隔で）タッチされた場合には、１度だけタッチされた場合のサイズ（図３ｃの参照領域３１２のサイズ）の４倍（縦辺長さが２倍、横辺長さが２倍）のサイズの領域を参照領域３２１として受け付けるようにし、ユーザによって位置３１３が３度連続的に（所定時間以下の時間間隔で）タッチされた場合には、２度タッチされた場合のサイズ（図３ｄの参照領域３２１のサイズ）の４倍（縦辺長さが２倍、横辺長さが２倍）のサイズの領域を参照領域３２２として受け付けるようにしてもよい。
【００２４】
さて、図２に戻り、参照領域を受け付けたならば（ステップ２０８）、メモリ５７に格納されているベース画像３００から、参照領域の画像を読み出し、読み出した画像に、予め調整値の候補として選定しておいた複数の異なる調整値による画質調整項目の画質調整を施した複数の画質調整画像を生成し、メモリ５７に格納する（ステップ２１０）。すなわち、画質調整項目が、画像の輝度であれば、画質調整を施した画像の輝度を、標準の輝度調整の値、または、現在、表示コントローラ５１の画質調整部５１２で行っている輝度調整の値を基準輝度調整値０として、輝度調整値を-１００から+１００まで、１０きざみに変化させた２１個の画像を、画質調整画像として生成する。ただし、輝度調整値が１減少すると、当該輝度調整値による輝度調整によって画像の輝度は所定量低下し、輝度調整値が１増加すると、当該輝度調整値による輝度調整によって画像の輝度は所定量増加するものである。
【００２５】
そして、複数の画質調整画像を生成したならば、画質調整画像一覧画面を生成し、表示コントローラ５１を介して表示装置１に表示する（ステップ２１２）。
ここで、図４ａに、この画質調整画像一覧画面を示す。
図示するように、画質調整画像一覧画面は、生成した複数の画質調整画像４０１を所定サイズで調整値の順に並べて表示したものである。また、この画質調整画像一覧画面には、キャンセルボタン４０２を設けている。ただし、画質調整画像一覧画面は、必ずしも全ての画質調整画像４０１を表示するものでなくてもよい。たとえば、図４ａに示すように、輝度調整値を-１００から+１００まで、１０きざみに変化させた２１個の画質調整画像４０１のうちから、輝度調整値の順に一つおきに抽出した１１個の画質調整画像４０１を表示し、表示した隣り合う二つの画質調整画像４０１の間に、この二つの画質調整画像４０１の中間の画質調整画像４０１も存在することを表すマーク４０３を表示するようにしてもよい。
【００２６】
ここで、縦横のそれぞれについて、画質調整画像一覧表示画面に表示する画質調整画像４０１のサイズの辺の長さは、参照領域として受け付ける各サイズの辺の長さに対して、画質調整画像４０１の辺の長さ：参照領域の辺の長さが、１：２ｎ、または、２ｎ：１のいずれかの関係を満たすように設定するのが良い。すなわち、たとえば、画質調整画像４０１のサイズを、図３ｃに示した位置３１１または３１３が一度だけ指定された場合の参照領域３１２または３１４のサイズの４倍（縦辺長さが２倍、横辺長さが２倍）のサイズとするようにする。そして、ステップ２１０で生成した画質調整画像のサイズの、画質調整画像一覧表示画面に表示する画質調整画像４０１の表示サイズへの変換は、ステップ２１０で生成した画質調整画像のサイズが、画質調整画像一覧表示画面に表示する画質調整画像４０１の表示サイズより大きい場合には、ステップ２１０で生成した画質調整画像の画素を画素数が縦横に１／２ｎとなるように間引くことにより行い、ステップ２１０で生成した画質調整画像のサイズが、画質調整画像一覧表示画面に表示する画質調整画像４０１のサイズより小さい場合には、ステップ２１０で生成した画質調整画像の各画素を縦横に２ｎ回づつ繰り返し配置することにより行うようにする。このようにすることにより、画質調整画像一覧表示画面中の画質調整画像４０１中に、ステップ２１０で生成した元の画質調整画像に含まれない画素値を持つ画素が発生しないようになるので、画質調整画像一覧表示画面を用いて、ユーザは画質の評価を適正に行えるようになる。
【００２７】
さて、このようにして画質調整画像一覧画面を表示したならば、ユーザのタッチパネル２のキャンセルボタン４０２位置のタッチによるキャンセル操作の発生（ステップ２１４）か、ユーザのタッチパネル２のタッチによる画質調整画像４０１の選択の発生（ステップ２１６）か、画質調整範囲の選択の発生（ステップ２１８）を待つ。そして、キャンセル操作が発生した場合には、ステップ２０２に戻って、画質調整メニューの表示からの処理を行う。
【００２８】
一方、画質調整画像４０１の選択が発生した場合には（ステップ２１６）、表示コントローラ５１を介して、選択された画質調整画像４０１を拡大表示した拡大表示画面を表示装置１に表示する（ステップ２２６）。すなわち、たとえば、図４ａの-４０の輝度調整値に対応する画質調整画像４０１が選択された場合には、図４ｂに示すように、この選択された画質調整画像４０１を拡大した画質調整画像４０４を配置した拡大表示画面を表示する。また、このとき表示する拡大表示画面は、設定ボタン４０５とキャンセルボタン４０６を含むものとする。
【００２９】
なお、前述のようにステップ２１２で表示した画質調整画像一覧画面中に、隣り合う二つの画質調整画像４０１の間に、この二つの画質調整画像４０１の中間の画質調整画像４０１も存在することを表すマーク４０３を表示した場合には、このマーク４０３の選択も画質調整画像４０１の選択として受け付け、選択を受け付けたマーク４０３に対応する画質調整画像４０１を拡大した画質調整画像を配置した拡大表示画面を表示する。すなわち、たとえば、図４ｃに示すように、画質調整画像一覧画面において、輝度調整値４０の画質調整画像４０１と輝度調整値２０の画質調整画像４０１との間に表示されている、輝度３０の画質調整画像４０１が存在することを表すマーク４０３が選択された場合には、図４ｄに示すように、この輝度３０の画質調整画像を拡大した画質調整画像４０４を配置した拡大表示画面を表示する。このようにすることにより、ユーザが画質調整画像を用いて評価、選定できる調整値の数を大きく確保しつつ、画質調整画像一覧画面に表示する画質調整画像４０１の数が多くなりすぎないようにして、画質調整画像一覧画面に表示する画質調整画像４０１のサイズとして、画質の評価が可能なサイズを確保することができるようになる。
【００３０】
なお、ここで拡大表示画面において、表示する拡大した画質調整画像４０４のサイズは、縦横それぞれについて、拡大した画質調整画像４０４の辺の長さが、参照領域として受け付ける各サイズの辺の長さに対して、拡大した画質調整画像４０４の辺の長さ：参照領域の辺の長さが、２ｎ：１となるように設定する。そして、ステップ２１０で生成した画質調整画像の拡大は、ステップ２１０で生成した画質調整画像の各画素を縦横に２ｎ回づつ繰り返し配置することにより行うようにする。このようにすることにより、拡大した画質調整画像４０４中に、ステップ２１０で生成した元の画質調整画像に含まれない画素値を持つ画素が発生しないようになるので、拡大した画質調整画像４０４から、ユーザは画質の評価を適正に行えるようになる。
【００３１】
さて、図２に戻り、拡大表示画面を表示したならば（ステップ２２６）、ユーザのタッチパネル２のキャンセルボタン４０６位置のタッチによるキャンセル操作の発生（ステップ２２８）か、ユーザのタッチパネル２の設定ボタン４０５位置のタッチによる設定操作の発生（ステップ２３０）を待つ。そして、キャンセル操作が発生した場合（ステップ２２８）には、ステップ２１２の画質調整画像一覧表示からの処理を行う。
【００３２】
一方、設定操作が発生した場合には（ステップ２３０）、拡大表示画面に表示している画質調整画像４０４すなわち画質調整画像一覧画面で選択された画質調整画像４０１に対応する画質調整値を、表示コントローラ５１の画質調整部５１２に、ステップ２０６で受け付けた画質調整項目の画質調整値として設定し（ステップ２３２）、ステップ２０２の画質調整メニュー表示からの処理に戻る。すなわち、図４ｂの輝度調整値-４０の画質調整画像４０４が表示されている拡大表示画面で設定ボタン４０５が操作されたならば、輝度調整値-４０が表示コントローラ５１の画質調整部５１２に設定され、図４ｄの輝度調整値+３０の画質調整画像４０４が表示されている拡大表示画面で設定ボタン４０５が操作されたならば、輝度調整値+３０が表示コントローラ５１の画質調整部５１２に設定される。
【００３３】
なお、表示コントローラ５１の画質調整部５１２は、ある画質調整項目の画質調整値が設定されると、以降、その画質調整項目については、設定された画質調整値による画質調整を行う。
さて、ステップ２１８において、画質調整範囲の選択が発生した場合には、選択された画質調整範囲内の画質調整画像を含めた画質調整範囲内画質調整画像一覧画面を、表示コントローラ５１を介して表示装置１に表示する（ステップ２２０）。ここで、画質調整範囲の選択の受け付けは、たとえば、図５ａに示すように、画質調整画像一覧画面において、二つの画質調整画像４０１の同時選択をユーザからタッチパネル２を介して受け付け、選択された二つの画質調整画像４０１に対応する二つの画質調整値の間の範囲を画質調整範囲とすることにより行う。すなわち、たとえば、図５ａのように、輝度調整値-２０の画質調整画像４０１と-６０の画質調整画像４０１が同時選択された場合には、輝度調整値-２０から-６０の範囲が、画質調整範囲となる。
【００３４】
また、画質調整範囲内画質調整画像一覧画面は、図５ｂに示すように、画質調整範囲内の画質調整値に対応する画質調整画像５０１の全てを表示したものである。また、この画質調整範囲内画質調整画像一覧画面には、キャンセルボタン５０２が含められている。ここで、前述のように輝度調整値-２０から-６０の範囲が画質調整範囲である場合には、図５ｂに示すように、この画質調整範囲内の画質調整値に対応する画質調整画像として、輝度調整値-２０、-３０、-４０、-５０、-６０の５個の画質調整画像４０１がステップ２１０で生成されているので、これら５個の画質調整画像５０１が、キャンセルボタン５０２と共に含められた画質調整範囲内画質調整画像一覧画面が表示されることになる。なお、画質調整範囲内画質調整画像一覧画面で表す画質調整画像５０１のサイズは、画質調整画像一覧画面で表す画質調整画像４０１のサイズより大きくすることも好ましい。ただし、画質調整画像一覧画面で表す画質調整画像４０１と同様に、画質調整範囲内画質調整画像一覧画面の画質調整画像５０１の表示中に、ステップ２１０で生成した元の画質調整画像に含まれない画素値を持つ画素が発生しないようにすることが好ましい。
【００３５】
さて、図２に戻り、このようにして画質調整範囲内画質調整画像一覧画面を表示したならば、ユーザのタッチパネル２のキャンセルボタン５０２位置のタッチによるキャンセル操作の発生（ステップ２２２）か、ユーザのタッチパネル２のタッチによる画質調整範囲内画質調整画像一覧画面に表した画質調整画像５０１の選択の発生（ステップ２２４）を待つ。そして、キャンセル操作が発生した場合には、ステップ２１２に戻って、画質調整画像一覧画面の表示からの処理を行う。
【００３６】
一方、画質調整画像５０１の選択が発生した場合には（ステップ２２４）、ステップ２２６と同様に、選択された画質調整画像５０１を拡大表示した拡大表示画面を、表示コントローラ５１を介して表示装置１に表示する（ステップ２３４）。すなわち、たとえば、図５ｂの-３０の輝度調整値に対応する画質調整画像５０１が選択された場合には、図５ｃに示すように、この選択された画質調整画像５０１を拡大した画質調整画像５０４を配置した拡大表示画面を表示する。また、このとき表示する拡大表示画面は、設定ボタン５０５とキャンセルボタン５０６を含むものとする。
【００３７】
さて、図２に戻り、拡大表示画面を表示したならば（ステップ２３４）、ユーザのタッチパネル２のキャンセルボタン５０６位置のタッチによるキャンセル操作の発生（ステップ２３６）か、ユーザのタッチパネル２の設定ボタン５０５位置のタッチによる設定操作の発生（ステップ２３８）を待つ。そして、キャンセル操作が発生した場合（ステップ２３６）には、ステップ２２０の画質調整範囲内画質調整画像一覧表示からの処理を行う。
【００３８】
一方、設定操作が発生した場合には（ステップ２３８）、拡大表示画面に表示している画質調整画像５０４すなわち画質調整範囲内画質調整画像一覧画面で選択された画質調整画像５０１に対応する画質調整値を、表示コントローラ５１の画質調整部５１２に、ステップ２０６で受け付けた画質調整項目の画質調整値として設定し（ステップ２４０）、ステップ２０２の画質調整メニュー表示からの処理に戻る。すなわち、図５ｃの輝度調整値-３０の画質調整画像５０４が表示されている拡大表示画面で設定ボタン５０５が操作されたならば、輝度調整値-３０が表示コントローラ５１の画質調整部５１２に設定される。
【００３９】
ここで、このように、画質調整範囲内画質調整画像一覧を表示することにより、ユーザは、画質調整画像を用いて、所望の画質を得られる調整値を階層的に絞り込んでいくことができるようになる。また、ユーザが画質調整画像を用いて評価、選定できる調整値の数を大きく確保しつつ、画質調整画像一覧画面や画質調整範囲内画質調整画像一覧画面に表示する画質調整画像の数が多くなりすぎないようにして、画質調整画像一覧画面や画質調整範囲内画質調整画像一覧画面に表示する画質調整画像のサイズとして、画質の評価が可能なサイズを確保することができるようになる。
【００４０】
以上、本発明の実施形態について説明した。
以上のように本実施形態によれば、ユーザは、表示装置１に表示されている画像の内の任意の位置の、所望の大きさの領域を、画質調整の調整値の評価のために表示される画質調整画像を表示する画像の領域として選定することができる。すなわち、ユーザは、表示装置１に表示されている画像の内の、画質調整の調整値の評価を行うのに適した領域を選定して、その領域の画像についての、各調整値による画質調整の結果を評価することができる。したがって、画質調整の調整値を、より容易に所望の画質となるように選定することができるようになる。
【図面の簡単な説明】
【００４１】
【図１】本発明の実施形態に係る画像表示システムの構成を示すブロック図である。
【図２】本発明の実施形態に係る画質調整処理を示すフローチャートである。
【図３】本発明の実施形態に係る画質調整処理で用いる表示画面を示す図である。
【図４】本発明の実施形態に係る画質調整処理で用いる表示画面を示す図である。
【図５】本発明の実施形態に係る画質調整処理で用いる表示画面を示す図である。
【符号の説明】
【００４２】
１…表示装置、２…タッチパネル、３…入力装置、４…映像ソース装置、５…表示処理装置、５１…表示コントローラ、５２…フレームメモリ、５３…映像入力インタフェース、５４…タッチパネルインタフェース、５５…入力装置インタフェース、５６…制御部、５７…メモリ、５１１…フレームメモリ制御部、５１２…画質調整部、５１３…画像出力部。
【図１】
2006314014.tif 000003
【図２】
2006314014.tif 000004
【図３】
2006314014.tif 000005
【図４】
2006314014.tif 000006
【図５】
2006314014.tif 000007